(57)【要約】【課題】回転可能なパネルを有する電子機器を提供する。【解決手段】電子機器が複数のパネルを含む。第１のパネルは、保護カバーとして機能するハウジング内に位置するデバイスエレクトロニクスを含む。第２のパネルは、ディスプレイ側にタッチスクリーンディスプレイを、及び背面側にハウジングを含む。第２のパネルは、可逆ヒンジなどの第１のヒンジ機構を使用して第１のパネルに結合される。第３のパネルは、適応インターフェイスとして構成可能なタッチスクリーンディスプレイを含む。第３のパネルは、第２のヒンジ機構を使用して第２のパネルに結合される。第１のパネル、第２のパネル、及び第３のパネルは「Ｚ折り」の形で共に結合され、複数の異なる構成に変化することができる。【選択図】図１
2011014149.tif 000002
【特許請求の範囲】
【請求項１】
ａ．ハウジング及びデバイス処理ユニットを備えた第１のパネルと、
ｂ．第１のタッチスクリーンディスプレイを備え前記第１のパネルに回転可能に結合された第２のパネルと、
ｃ．第２のタッチスクリーンディスプレイを備え前記第２のパネルに回転可能に結合された第３のパネルと、
を含み、さらに、前記第１のパネル、前記第２のパネル、及び前記第３のパネルがワークステーション構成で配置された場合、前記第１のタッチスクリーンディスプレイ及び前記第２のタッチスクリーンディスプレイが露出されて前記第２のタッチスクリーンディスプレイがタッチセンサ式キーボードとして構成され、前記第１のパネル、前記第２のパネル、及び前記第３のパネルがタブレットラップトップ構成で配置された場合、前記第２のタッチスクリーンディスプレイが前記第１のパネル及び前記第２のパネルで覆われるとともに前記第１のタッチスクリーンディスプレイが露出されてタブレットラップトップタッチスクリーンとして構成され、前記第１のパネル、前記第２のパネル、及び前記第３のパネルがリーダ構成で配置された場合、前記第１のタッチスクリーンディスプレイが前記第１のパネル及び前記第３のパネルで覆われるとともに前記第２のタッチスクリーンディスプレイが露出されてリーダとして構成される、
ことを特徴とする電子機器。
【請求項２】
前記第２のパネルが、保護カバーを備えた背面側と、前記第１のタッチスクリーンディスプレイを備えたディスプレイ側とをさらに含む、
ことを特徴とする請求項１に記載の電子機器。
【請求項３】
前記第１のパネル、前記第２のパネル、及び前記第３のパネルが、該第３のパネルが前記第２のパネルの前記第２の側と前記第１のパネルとの間に位置する閉鎖構成に変化可能である、
ことを特徴とする請求項２に記載の電子機器。
【請求項４】
前記ワークステーション構成において、前記第２のパネルの前記背面側が露出される、
ことを特徴とする請求項２に記載の電子機器。
【請求項５】
前記ワークステーション構成において、前記第２のパネルの前記背面側が前記第１のパネルに接触してこれに覆われる、
ことを特徴とする請求項２に記載の電子機器。
【請求項６】
前記第３のパネルが、前記第２のタッチスクリーンディスプレイを備えた第１の側と第２の側とをさらに含む、
ことを特徴とする請求項２に記載の電子機器。
【請求項７】
前記タブレットラップトップ構成において、前記第３のパネルの前記第１の側が前記第１のパネルに接触し、前記第２のパネルの前記背面側が前記第３のパネルの前記第２の側に接触する、
ことを特徴とする請求項６に記載の電子機器。
【請求項８】
前記リーダ構成において、前記第３のパネルの前記第２の側が前記第２のパネルの前記背面側に接触し、前記第２のパネルの前記ディスプレイ側が前記第１のパネルに接触する、
ことを特徴とする請求項６に記載の電子機器。
【請求項９】
前記第１のパネルを前記第２のパネルに結合する第１の可逆ヒンジと、前記第２のパネルを前記第３のパネルに結合する第２の可逆ヒンジとをさらに含む、
ことを特徴とする請求項１に記載の電子機器。
【請求項１０】
前記第１のパネルの前記第２のパネルに対する角度位置を決定するための第１の位置スイッチと、前記第３のパネルの前記第２のパネルに対する角度位置を決定するための第２の位置スイッチとをさらに含む、
ことを特徴とする請求項１に記載の電子機器。
【請求項１１】
前記第１のパネル、前記第２のパネル、及び前記第３のパネルに結合されて、前記第１のパネル、前記第２のパネル、及び前記第３のパネルの各々の相対位置を判定する複数の感圧センサをさらに含む、
ことを特徴とする請求項１に記載の電子機器。
【請求項１２】
前記ワークステーション構成において、前記第１のタッチスクリーンディスプレイ及び前記第２のタッチスクリーンディスプレイが両方とも電源オンになる、
ことを特徴とする請求項１に記載の電子機器。
【請求項１３】
前記タブレットラップトップ構成において、前記第１のタッチスクリーンディスプレイは電源が入り、前記第２のタッチスクリーンディスプレイは電源オフになる、
ことを特徴とする請求項１に記載の電子機器。
【請求項１４】
前記リーダ構成において、前記第１のタッチスクリーンディスプレイは電源オフになり、前記第２のタッチスクリーンディスプレイは電源が入る、
ことを特徴とする請求項１に記載の電子機器。
【請求項１５】
前記第２のタッチスクリーンディスプレイがＬＣＤタッチスクリーンディスプレイを含む、
ことを特徴とする請求項１に記載の電子機器。
【請求項１６】
前記第３のパネルが電子ペーパを含む、
ことを特徴とする請求項１に記載の電子機器。
【請求項１７】
ａ．ハウジング及びデバイス処理ユニットを備えた第１のパネルと、
ｂ．第１のタッチスクリーンディスプレイを備え前記第１のパネルに回転可能に結合された第２のパネルと、
ｃ．第２のタッチスクリーンディスプレイを備え前記第２のパネルに回転可能に結合された第３のパネルとを含み、さらに、前記第１のパネル、前記第２のパネル、及び前記第３のパネルが回転して複数の構成に変化可能であり、ワークステーション構成では、前記第２のパネル及び前記第３のパネルが互いに対して開き合うとともに前記第１のタッチスクリーンディスプレイ及び前記第２のタッチスクリーンディスプレイが露出され、タブレットラップトップ構成では、前記第１のパネル、前記第２のパネル、及び前記第３のパネルが折り重なって閉じるとともに前記第１のタッチスクリーンディスプレイが露出され、リーダ構成では、前記第１のパネル、前記第２のパネル、及び前記第３のパネルが折り重なって閉じるとともに前記第２のタッチスクリーンディスプレイが露出される、
ことを特徴とする電子機器。
【請求項１８】
前記ワークステーション構成において、前記第１のタッチスクリーンディスプレイが、あらゆるタッチセンサ機能が無効なディスプレイ専用として構成され、前記第２のタッチスクリーンディスプレイがタッチセンサ式キーボードとして構成される、
ことを特徴とする請求項１７に記載の電子機器。
【請求項１９】
前記タブレットラップトップ構成において、前記第１のタッチスクリーンディスプレイがタブレットラップトップタッチスクリーンとして構成される、
ことを特徴とする請求項１７に記載の電子機器。
【請求項２０】
前記リーダ構成において、前記第２のタッチスクリーンディスプレイがリーダとして構成される、
ことを特徴とする請求項１７に記載の電子機器。
【請求項２１】
前記第２のパネルが、保護カバーを備えた背面側と、前記第１のタッチスクリーンディスプレイを備えたディスプレイ側とをさらに含む、
ことを特徴とする請求項１７に記載の電子機器。
【請求項２２】
前記第１のパネル、前記第２のパネル、及び前記第３のパネルが、該第３のパネルが前記第２のパネルの前記第２の側と前記第１のパネルとの間に位置する閉鎖構成に変化可能である、
ことを含む請求項２１に記載の電子機器。
【請求項２３】
前記ワークステーション構成において、前記第２のパネルの前記背面側が露出される、
ことを特徴とする請求項２１に記載の電子機器。
【請求項２４】
前記ワークステーション構成において、前記第２のパネルの前記背面側が前記第１のパネルに接触してこれに覆われる、
ことを特徴とする請求項２１に記載の電子機器。
【請求項２５】
前記第３のパネルが、前記第２のタッチスクリーンディスプレイを備えた第１の側と第２の側とをさらに含む、
こと特徴とする請求項２１に記載の電子機器。
【請求項２６】
前記タブレットラップトップ構成において、前記第３のパネルの前記第１の側が前記第１のパネルに接触し、前記第２のパネルの前記背面側が前記第３のパネルの前記第２の側に接触する、
ことを特徴とする請求項２５に記載の電子機器。
【請求項２７】
前記リーダ構成において、前記第３のパネルの前記第２の側が前記第２のパネルの前記背面側に接触し、前記第２のパネルの前記ディスプレイ側が前記第１のパネルに接触する、
ことを特徴とする請求項２５に記載の電子機器。
【請求項２８】
前記第１のパネルを前記第２のパネルに結合する第１の可逆ヒンジと、前記第２のパネルを前記第３のパネルに結合する第２の可逆ヒンジとをさらに含む、
ことを特徴とする請求項１７に記載の電子機器。
【請求項２９】
前記第１のパネルの前記第２のパネルに対する角度位置を決定するための第１の位置スイッチと、前記第３のパネルの前記第２のパネルに対する角度位置を決定するための第２の位置スイッチとをさらに含む、
ことを特徴とする請求項１７に記載の電子機器。
【請求項３０】
前記第１のパネル、前記第２のパネル、及び前記第３のパネルに結合されて、前記第１のパネル、前記第２のパネル、及び前記第３のパネルの各々の相対位置を判定する複数の感圧センサをさらに含む、
ことを特徴とする請求項１７に記載の電子機器。
【請求項３１】
前記ワークステーション構成において、前記第１のタッチスクリーンディスプレイ及び前記第２のタッチスクリーンディスプレイが両方とも電源オンになる、
ことを特徴とする請求項１７に記載の電子機器。
【請求項３２】
前記タブレットラップトップ構成において、前記第１のタッチスクリーンディスプレイは電源が入り、前記第２のタッチスクリーンディスプレイは電源オフになる、
ことを特徴とする請求項１７に記載の電子機器。
【請求項３３】
前記リーダ構成において、前記第１のタッチスクリーンディスプレイは電源オフになり、前記第２のタッチスクリーンディスプレイは電源が入る、
ことを特徴とする請求項１７に記載の電子機器。
【請求項３４】
前記第２のタッチスクリーンディスプレイがＬＣＤタッチスクリーンディスプレイを含む、
ことを特徴とする請求項１７に記載の電子機器。
【請求項３５】
前記第３のパネルが電子ペーパを含む、
ことを特徴とする請求項１７に記載の電子機器。
【請求項３６】
電子機器を構成及び使用する方法であって、
ａ．ハウジング及びデバイス処理ユニットを備えた第１のパネルを、第１のタッチスクリーンディスプレイを備えた第２のパネルに回転可能に結合するステップと、
ｂ．第２のタッチスクリーンディスプレイを備えた第３のパネルを前記第２のパネルに回転可能に結合するステップと、
ｃ．前記第１のパネル、前記第２のパネル、及び前記第３のパネルを回転して複数の構成に変化させるステップとを含み、ワークステーション構成では、前記第２のパネル及び前記第３のパネルが互いに対して開き合って前記第１のタッチスクリーンディスプレイ及び前記第２のタッチスクリーンディスプレイが露出され、タブレットラップトップ構成では、前記第１のパネル、前記第２のパネル、及び前記第３のパネルが折り重なって閉じるとともに前記第１のタッチスクリーンディスプレイが露出され、リーダ構成では、前記第１のパネル、前記第２のパネル、及び前記第３のパネルが折り重なって閉じるとともに前記第２のタッチスクリーンディスプレイが露出される、
ことを特徴とする方法。
【請求項３７】
前記ワークステーション構成において、前記第１のタッチスクリーンディスプレイが、あらゆるタッチセンサ機能が無効なディスプレイ専用として構成され、前記第２のタッチスクリーンディスプレイがタッチセンサ式キーボードとして構成される、
ことを特徴とする請求項３６に記載の方法。
【請求項３８】
前記タブレットラップトップ構成において、前記第１のタッチスクリーンディスプレイがタブレットラップトップタッチスクリーンとして構成される、
ことを特徴とする請求項３６に記載の方法。
【請求項３９】
前記リーダ構成において、前記第２のタッチスクリーンディスプレイがリーダとして構成される、
ことを特徴とする請求項３６に記載の方法。
【請求項４０】
前記第２のパネルが、保護カバーを備えた背面側と、前記第１のタッチスクリーンディスプレイを備えたディスプレイ側とをさらに含む、
ことを特徴とする請求項３６に記載の方法。
【請求項４１】
前記第１のパネル、前記第２のパネル、及び前記第３のパネルが、該第３のパネルが前記第２のパネルの前記第２の側と前記第１のパネルとの間に位置する閉鎖構成に変化可能である、
ことを特徴とする請求項４０に記載の方法。
【請求項４２】
前記ワークステーション構成において、前記第２のパネルの前記背面側が露出される、
ことを特徴とする請求項４０に記載の方法。
【請求項４３】
前記ワークステーション構成において、前記第２のパネルの前記背面側が前記第１のパネルに接触してこれに覆われる、
ことを特徴とする請求項４０に記載の方法。
【請求項４４】
前記第３のパネルが、前記第２のタッチスクリーンディスプレイを備えた第１の側と第２の側とをさらに含む、
ことを特徴とする請求項４０に記載の方法。
【請求項４５】
前記タブレットラップトップ構成において、前記第３のパネルの前記第１の側が前記第１のパネルに接触し、前記第２のパネルの前記背面側が前記第３のパネルの前記第２の側に接触する、
ことを特徴とする請求項４４に記載の方法。
【請求項４６】
前記リーダ構成において、前記第３のパネルの前記第２の側が前記第２のパネルの前記背面側に接触し、前記第２のパネルの前記ディスプレイ側が前記第１のパネルに接触する、
ことを特徴とする請求項４４に記載の方法。
【請求項４７】
さらに、前記第１のパネルの前記第２のパネルに対する角度位置を決定するステップと、前記第３のパネルの前記第２のパネルに対する角度位置を決定するステップとをさらに含む、
ことを特徴とする請求項３６に記載の方法。
【請求項４８】
前記第１のパネル、前記第２のパネル、及び前記第３のパネルの各々の相対位置を判定するステップをさらに含む、
ことを特徴とする請求項３６に記載の方法。
【請求項４９】
前記ワークステーション構成において、前記第１のタッチスクリーンディスプレイ及び前記第２のタッチスクリーンディスプレイが両方とも電源オンになる、
ことを特徴とする請求項３６に記載の方法。
【請求項５０】
前記タブレットラップトップ構成において、前記第１のタッチスクリーンディスプレイは電源が入り、前記第２のタッチスクリーンディスプレイは電源オフになる、
ことを特徴とする請求項３６に記載の方法。
【請求項５１】
前記リーダ構成において、前記第１のタッチスクリーンディスプレイは電源オフになり、前記第２のタッチスクリーンディスプレイは電源オンになる、
ことを特徴とする請求項３６に記載の方法。
【発明の詳細な説明】
【技術分野】
【０００１】
本発明は電子機器の分野に関する。より具体的には、ディスプレイ及び適応インターフェイス用に構成された回転可能なパネルを有する電子機器に関する。
【背景技術】
【０００２】
電子機器及びモバイル電子機器の使用は急増し続けている。現在では、多くの異なる種類の電子機器が利用可能である。ノートブックコンピュータとして知られるラップトップコンピュータは、携帯使用向けに設計されたパーソナルコンピュータである。ラップトップはディスプレイ、キーボード、タッチパッドなどのカーソル制御装置、スピーカ、及びバッテリを含むデスクトップコンピュータの大半の構成要素を含む。ラップトップは、ヒンジによって折り畳み式に開閉される２つのパネルとして構成される。この構成は、クラムシェルフォームファクタと呼ばれることが多い。第１のパネルはディスプレイを含み、第２のパネルは、キーボード、タッチパッド、及びデバイスエレクトロニクスを含む残りの構成要素を含む。個々のパネルの外側部分は、閉じた際にラップトップの保護カバーを形成する。
【０００３】
タブレットラップトップコンピュータはラップトップコンピュータの変化形であり、ディスプレイパネルをねじって、２つのパネルをともに折り重ねた場合でもディスプレイが外向きになるようにキーボードパネル上に倒せるようにする複関節を２つのパネル間に有する。タブレットラップトップのディスプレイパネルはタッチスクリーンディスプレイを有する。
【０００４】
タッチスクリーンとは、一般に指、手、スタイラス、又はその他のポインティングデバイスによるディスプレイ領域内の接触の存在、場所、及び圧力を検出するディスプレイのことである。このタッチスクリーンは、キーボード、マウス、又はタッチパッドによって間接的にではなく、ユーザがいずれの介在装置も必要とせずに直接ディスプレイパネルとやりとりをできるようにする。タッチスクリーンは、コンピュータ内に、又はネットワークに接続するための端末として実装することができる。タッチスクリーンは、一般に、販売時点情報管理システム、現金自動預け払い機、携帯電話、携帯情報端末、携帯ゲーム機、衛星ナビゲーション装置、及び情報家電において見受けられる。
【０００５】
タッチスクリーン技術には多くの種類が存在する。抵抗性タッチスクリーンパネルは、薄い空間で仕切られた２枚の薄い電気伝導性及び抵抗性の金属層を含む複数の層から成る。タッチスクリーンパネルに何らかの物体が触れると、これらの層が或る点で接触する。物体の接触に応答して、パネルが、出力に接続された２つの分圧器と同様に電気的に作動する。これによって電流の変化が生じ、この変化がタッチイベントとして登録され、処理のためにコントローラへ送られる。
【０００６】
容量性タッチスクリーンパネルは、センサを横切る連続的な電流を伝導する材料で被覆、部分的被覆、又はパターン形成される。センサは、静電容量を得るために垂直軸及び水平軸の両方において正確に制御された蓄積電子の場を示す。人体もまた電子を蓄積する電気装置であるため静電容量を示す。センサの基準容量が、指などの別の静電容量の場によって変化した場合、パネルの個々の隅に配置された電子回路が、結果として生じる基準容量の歪みを測定する。このタッチイベントに関する測定情報は、数学的処理のためにコントローラへ送られる。容量センサには、素指で、又は素手で持った導電装置でのいずれかで触れることができる。容量センサはまた、近接性に基づいて動作し、起動のために直接触れる必要もない。ほとんどの場合、導電性金属面に直接触れることはなく、導電センサは絶縁ガラス又はプラスチック層によってユーザの身体と分離される。指で触れられることを意図された容量性ボタンを有する装置は、手の平を表面近くで触れずに素早く振ることにより起動できることが多い。
【０００７】
その他の種類のタッチスクリーン技術として、超音波を使用する弾性表面波技術、赤外線タッチスクリーンパネル、バネに結合した歪みゲージパネル、光学的画像、分散信号技術、及び全反射が挙げられる。
【０００８】
Ｅペーパとも呼ばれる電子ペーパは、紙上の普通のインクの見掛けを模倣するように設計されたディスプレイ技術である。画素を照らすためにバックライトを使用する従来のフラットパネルディスプレイとは対照的に、電子ペーパは普通の紙と同様に周辺光を反射する。ディスプレイ面上に表示画像が描写されると、電子ペーパは電気を引き込むことなく表示画像を無限に保持することができる。以下に限定されるわけではないが、電気泳動ディスプレイ、エレクトロウェッティングディスプレイ、及びコレステリック液晶ディスプレイ（ＬＣＤ）を含む複数の異なる技術を使用して電子ペーパを構築することができる。電子ペーパは、表示画像を更新する必要がなく、またバックライトを使用せずに表示画像を見ることができるので、相対的に低い電力使用量で安定した画像を生み出すことができる。電子ブックリーダを含む用途では、デジタル版の書籍、雑誌、及びその他の伝統的印刷物を表示することができる。
【発明の概要】
【課題を解決するための手段】
【０００９】
電子機器が複数のパネルを含む。第１のパネルは、保護カバーとして機能するハウジング内に位置するデバイスエレクトロニクスを含む。第２のパネルは、ディスプレイ側にタッチスクリーンディスプレイを、及び背面側にハウジングを含む。第２のパネルは、可逆ヒンジなどの第１のヒンジ機構を使用して第１のパネルに結合される。第３のパネルは、適応インターフェイスとして構成可能なタッチスクリーンディスプレイを含む。第３のパネルは、第２のヒンジ機構を使用して第２のパネルに結合される。第１のパネル、第２のパネル、及び第３のパネルは「Ｚ折り」の形で共に結合され、複数の異なる構成に変化することができる。
【００１０】
第１の態様では、電子機器が、ハウジング及びデバイス処理ユニットを備えた第１のパネルと、第１のタッチスクリーンディスプレイを備え第１のパネルに回転可能に結合された第２のパネルと、第２のタッチスクリーンディスプレイを備え第２のパネルに回転可能に結合された第３のパネルとを含み、さらに、第１のパネル、第２のパネル、及び第３のパネルがワークステーション構成で配置された場合、第１のタッチスクリーンディスプレイ及び第２のタッチスクリーンディスプレイが露出されて第２のタッチスクリーンディスプレイがタッチセンサ式キーボードとして構成され、第１のパネル、第２のパネル、及び第３のパネルがタブレットラップトップ構成で配置された場合、第２のタッチスクリーンディスプレイが第１のパネル及び第２のパネルで覆われるとともに第１のタッチスクリーンディスプレイが露出されてタブレットラップトップタッチスクリーンとして構成され、第１のパネル、第２のパネル、及び第３のパネルがリーダ構成で配置された場合、第１のタッチスクリーンディスプレイが第１のパネル及び第３のパネルで覆われるとともに第２のタッチスクリーンディスプレイが露出されてリーダとして構成される。
【００１１】
第２の態様では、電子機器が、ハウジング及びデバイス処理ユニットを備えた第１のパネルと、第１のタッチスクリーンディスプレイを備え第１のパネルに回転可能に結合された第２のパネルと、第２のタッチスクリーンディスプレイを備え第２のパネルに回転可能に結合された第３のパネルとを含み、さらに、第１のパネル、第２のパネル、及び第３のパネルが回転して複数の構成に変化可能であり、ワークステーション構成では、第２のパネル及び第３のパネルが互いに対して開き合うとともに第１のタッチスクリーンディスプレイ及び第２のタッチスクリーンディスプレイが露出され、タブレットラップトップ構成では、第１のパネル、第２のパネル、及び第３のパネルが折り重なって閉じるとともに第１のタッチスクリーンディスプレイが露出され、リーダ構成では、第１のパネル、第２のパネル、及び第３のパネルが折り重なって閉じるとともに第２のタッチスクリーンディスプレイが露出される。
【００１２】
第１の態様又は第２の態様のいずれかにおいて、第２のパネルは、保護カバーを備えた背面側及び第１のタッチスクリーンディスプレイを備えたディスプレイ側を含む。第１のパネル、第２のパネル、及び第３のパネルは、第３のパネルが第２のパネルの第２の側と第１のパネルとの間に位置する閉鎖構成に変化することができる。ワークステーション構成では、第２のパネルの背面側が露出される。ワークステーション構成では、第２のパネルの背面側が第１のパネルに接触してこれに覆われる。第３のパネルは、第２のタッチスクリーンディスプレイを備えた第１の側及び第２の側を含む。タブレットラップトップ構成では第３のパネルの第１の側が第１のパネルに接触し、第２のパネルの背面側が第３のパネルの第２の側に接触する。リーダ構成では、第３のパネルの第２の側が第２のパネルの背面側に接触し、第２のパネルのディスプレイ側が第１のパネルに接触する。電子機器はまた、第１のパネルを第２のパネルに結合するための第１の可逆ヒンジ、及び第２のパネルを第３のパネルに結合するための第２の可逆ヒンジも含む。いくつかの実施形態では、電子機器が、第１のパネルの第２のパネルに対する角度位置を決定するための第１の位置スイッチ、及び第３のパネルの第２のパネルに対する角度位置を決定するための第２の位置スイッチを含むこともできる。他の実施形態では、電子機器が、第１のパネル、第２のパネル、及び第３のパネルに結合されて第１のパネル、第２のパネル、及び第３のパネルの各々の相対位置を判定する複数の感圧センサを含むこともできる。ワークステーション構成では、第１のタッチスクリーンディスプレイ及び第２のタッチスクリーンディスプレイが両方とも電源オンになる。タブレットラップトップ構成では、第１のタッチスクリーンディスプレイが電源オンになり、第２のタッチスクリーンディスプレイが電源オフになる。リーダ構成では、第１のタッチスクリーンディスプレイが電源オフになり、第２のタッチスクリーンディスプレイが電源オンになる。ワークステーション構成では、第１のタッチスクリーンディスプレイが、あらゆるタッチセンサ機能が無効なディスプレイ専用として構成され、第２のタッチスクリーンディスプレイがタッチセンサ式キーボードとして構成される。いくつかの実施形態では、第２のタッチスクリーンディスプレイをＬＣＤタッチスクリーンディスプレイとすることができる。いくつかの実施形態では、第３のパネルを電子ペーパとすることができる。
【００１３】
第３の態様では、電子機器を構成及び使用する方法が開示される。この方法は、ハウジング及びデバイス処理ユニットを備えた第１のパネルを、第１のタッチスクリーンディスプレイを備えた第２のパネルに回転可能に結合するステップと、第２のタッチスクリーンディスプレイを備えた第３のパネルを第２のパネルに回転可能に結合するステップと、第１のパネル、第２のパネル、及び第３のパネルを回転して複数の構成に変化させるステップとを含み、ワークステーション構成では、第２のパネル及び第３のパネルが互いに対して開き合って第１のタッチスクリーンディスプレイ及び第２のタッチスクリーンディスプレイが露出され、タブレットラップトップ構成では、第１のパネル、第２のパネル、及び第３のパネルが折り重なって閉じるとともに第１のタッチスクリーンディスプレイが露出され、リーダ構成では、第１のパネル、第２のパネル、及び第３のパネルが折り重なって閉じるとともに第２のタッチスクリーンディスプレイが露出される。第１のパネル、第２のパネル、及び第３のパネルは、第３のパネルが第２のパネルの第２の側と第１のパネルとの間に位置する閉鎖構成にも変化可能である。この方法はまた、第１のパネルの第２のパネルに対する角度位置を決定するステップと、第３のパネルの第２のパネルに対する角度位置を決定するステップとを含むこともできる。この方法はまた、第１のパネル、第２のパネル、及び第３のパネルの各々の相対位置を判定するステップを含むこともできる。
【００１４】
その他の特徴及び利点は、以下に記載する実施形態の詳細な説明を検討した後に明らかになるであろう。
【図面の簡単な説明】
【００１５】
【図１】いくつかの実施形態による電子機器の斜視図である。
【図２】閉鎖構成にある電子機器を示す図である。
【図３】ワークステーション構成にある電子機器を示す図である。
【図４Ａ】リーダ構成にある電子機器を示す図である。
【図４Ｂ】リーダ構成にある電子機器の、図４Ａの電子機器の位置に対してＸ軸を中心に１８０度回転させた図である。
【図５】タブレットラップトップ構成にある電子機器を示す図である。
【図６】第１のパネルの内部構成要素の例示的なブロック図である。
【発明を実施するための形態】
【００１６】
回転可能なパネルを有する電子機器について、図面のいくつかの表示に関して説明する。必要に応じて、及び同一要素が２以上の図面において開示及び図示される場合、同じ参照番号を使用してこのような同一要素を示す。
【００１７】
以下、添付図面に例を示すマルチパネル電子機器の実施形態について詳細に参照する。以下の実施形態と併せてマルチパネル電子機器について説明するが、これらがマルチパネル電子機器をこれらの実施形態及び例に限定されるものではないことを理解されたい。むしろ、このマルチパネル電子機器は、添付の特許請求の範囲によって定義されるようなマルチパネル電子機器の思想及び範囲に含めることができる代替物、修正物、及び同等物も対象とすることが意図されている。さらに、マルチパネル電子機器の以下の詳細な説明では、マルチパネル電子機器をより完全に示すために数多くの具体的な詳細について記載する。しかしながら、当業者には、これらの具体的な詳細を伴わずにマルチパネル電子機器を実施できることが明白であろう。その他の場合、マルチパネル電子機器の態様を不必要に曖昧にしないように、周知の方法及び手順、構成要素及び処理については説明していない。
【００１８】
実施形態は、複数のパネルを含む電子機器を対象とする。第１のパネルは、ハウジング内に位置するデバイスエレクトロニクスを含む。ハウジングは保護カバーとして機能する。デバイスエレクトロニクスは、処理ユニットと、メモリと、ネットワークインターフェイスと、電源と、１又はそれ以上のディスプレイドライバ回路とを含む。いくつかの実施形態では、第１のパネルが、キーボードを外した同等のラップトップコンピュータのデバイスエレクトロニクスパネルと同様に構成される。第２のパネルは、ディスプレイ側にタッチスクリーンディスプレイを、及び背面側にハウジングを含む。第２のパネルは、第１のヒンジ機構を使用して第１のパネルに結合される。いくつかの実施形態では、第１のヒンジ機構が可逆ヒンジである。いくつかの実施形態では、第２のパネルがタッチセンサ式ＬＣＤスクリーンとして構成される。第３のパネルは、適応インターフェイスとして構成可能なタッチスクリーンディスプレイを含む。第３のパネルは、第２のヒンジ機構を使用して第２のパネルに結合される。いくつかの実施形態では、第２のヒンジ機構が可逆ヒンジである。いくつかの実施形態では、第３のパネルがタッチセンサ式電子ペーパで作られる。第１のパネル、第２のパネル、及び第３のパネルは、「Ｚ折り」の形で共に結合される。
【００１９】
この３枚のパネルを、互いに異なる様々な位置に展開して、複数の適応インターフェイス構成及び動作モードの１つを可能にすることができる。第１のパネルは第２のパネルに対して回転可能であり、第３のパネルは第２のパネルに対して回転可能である。１又はそれ以上の第１の位置スイッチ又はセンサが、第１のパネルの第２のパネルに対する位置をモニタし、１又はそれ以上の第２の位置スイッチ又はセンサが、第３のパネルの第２のパネルに対する位置をモニタする。１つの実施形態では、３枚のパネルを回転して少なくとも４つの異なる構成に変化させることができる。閉鎖構成では、第３のパネルが回転して第２のパネルと接して閉じ、また第１のパネルが回転して第３のパネルと接して閉じることにより、第３のパネルが第１のパネルと第２のパネルとの間に位置するようになる。第２のパネルの背面側は保護ハウジングを含む。閉鎖構成では、第２のパネルの背面側及び第１のパネルのハウジングが、従来の閉じた状態のラップトップコンピュータと同様の「クラムシェル」保護カバーを形成する。
【００２０】
ワークステーション構成では、第１のパネルが第２のパネルのディスプレイ側から離れて少なくとも４５度回転し、第２のパネルが第３のパネルに対して「開いた」位置に回転する。いくつかの実施形態では、第１のパネルが閉鎖位置に対して基本的に３６０度回転することにより、第１のパネルが第２のパネルの背面側に接して位置するようになる。他の実施形態では、第３のパネルが、第２のパネルに接して及びこれから離れて回転できるのに十分な角度回転する。第２のパネルは、回転して第２のパネルに対して「Ｖ」位置を形成することにより、第３のパネルをユーザインターフェイスとして使用できるようになり、第２のパネルのディスプレイ側はディスプレイとして使用されるようになる。ワークステーション構成における第２のパネル及び第３のパネルの相対位置は、従来のラップトップコンピュータの「開いた」状態と同様である。ワークステーション構成では、第３のパネルがユーザインターフェイスを提供するように構成される。第３のパネルがタッチスクリーンディスプレイであることにより、ユーザインターフェイスの構成が適用可能となる。例えば、いくつかの実施形態では、第３のパネル上に従来のラップトップのキーボード構成が「表示」され、第３のパネルがタッチセンサ式であるため、「表示」されたキーボードがユーザにより従来のラップトップコンピュータのキーボードと同様の方法で使用される。ワークステーション構成では、第２のパネルが、あらゆるタッチセンサ機能が無効なディスプレイとして機能するように構成される。
【００２１】
リーダ構成では、第１のパネルが回転して第２のパネルのディスプレイ側と接して閉じることにより、第２のパネルのディスプレイ側が第１のパネルによって覆われ、第３のパネルが回転して第２のパネルの背面側に接して閉じるようになる。リーダ構成では、第３のパネルの一方の側のタッチスクリーンディスプレイがユーザに面し、このタッチスクリーンディスプレイが「リーダ」として構成される。いくつかの実施形態では、タッチスクリーンディスプレイが、「リーダ」が表示している文書のページアップ又はページダウン、及び「読む」ための文書の検索及び選択に使用するアクセスメニュー機能にも使用されるユーザインターフェイスの「ボタン」も表示する。このメニュー機能では、第３のパネルが関連するメニュー項目及び／又はディレクトリを表示する。他の実施形態では、ユーザインターフェイスボタンが第３のパネルのディスプレイに含まれず、代わりに第１のパネル又は第３のパネルの側面にハード機能として実装される。
【００２２】
タブレットラップトップ構成では、第３のパネルが回転して第２のパネルの背面側に接して閉じ、また第１のパネルが回転して第３のパネルに接して閉じることにより、第３のパネルが第１のパネルと第２のパネルとの間に位置するようになる。タブレットラップトップ構成と閉鎖構成との相違点は、タブレットラップトップ構成では、第３のパネルが第２のパネルの背面側に接して位置し、第１のパネルの第１の側が第３のパネルに接して位置するのに対し、閉鎖構成では、第３のパネルが第２のパネルのディスプレイ側に接して位置し、第１のパネルの第２の側が第３のパネルに接して位置する点である。タブレットラップトップ構成では、第２のパネルのディスプレイ側が露出され、ディスプレイ及びタッチセンサの両機能が有効となる。
【００２３】
第２のパネルのタッチスクリーンディスプレイ及び第３のパネルのタッチスクリーンディスプレイは、異なる種類の表示属性に対応するように構成され、従って異なる電力要件を有する。第２のパネルのタッチスクリーンディスプレイは、ビデオを視聴したり又はインターネットにアクセスしたりする場合のような、頻繁に変更又は更新され得るマルチメディアデータを表示するように構成される。これには、例えば少なくとも６０ヘルツの比較的高いリフレッシュレートでのディスプレイの能動的描写が必要となる。しかしながら、第３のパネルのタッチスクリーンディスプレイは、比較的持続する表示画像を提供するように構成される。例えば、リーダ構成では、最初に個々のページがディスプレイ上に描写されるが、これらは改ページ又はその他のユーザ信号が受け取られない限り再描写されない。この意味では、表示画像は持続され続け、受動的に描写される。ワークステーション構成の間に第３のパネルに表示されるユーザインターフェイスについても同様である。このような持続的な表示属性は、第２のパネル上で行われる能動的描写と比較して電力がかなり少なくて済む。従って、第２のパネルのタッチスクリーンディスプレイの電力要件の方が、第３のパネルのタッチスクリーンディスプレイの電力要件よりも大きい。また、第２のパネルのタッチスクリーンディスプレイがＬＣＤディスプレイであり、第３のパネルのタッチスクリーンディスプレイが電子ペーパである実施形態では、ＬＣＤディスプレイがバックライトを使用するのに対し、電子ペーパはこれを使用しない。電子ペーパは反射された周辺光を使用する。この用途では、第２のパネルの電力要件の方が第３のパネルの電力要件に比べてさらに高い。
【００２４】
図１は、いくつか実施形態による電子機器の斜視図である。電子機器８は、３枚のパネル、すなわち第１のパネル１０、第２のパネル２０、及び第３のパネル３０を含む。第１のパネル１０はヒンジ機構４０を介して第２のパネルに結合される。第２のパネル２０はヒンジ機構５０を介して第３のパネルに結合される。いくつかの実施形態では、ヒンジ機構４０及び５０がそれぞれ可逆ヒンジである。ヒンジ機構４０は、第１の位置と第２の位置との間にあらゆる回転度を提供し、第１のパネル１０と第２のパネル２０との間に実質的に３６０度の相対的回転度を提供する。第１の位置は、第２のパネル２０のディスプレイ側２４に接して位置する第１のパネル１０の第１の側１２に一致する。第２の位置は、第２のパネル２０の背面側２２に接して位置する第１のパネル１０の第２の側１４に一致する。ヒンジ機構５０も、同様に第１の位置と第２の位置との間にあらゆる回転度を提供し、第３のパネル３０と第２のパネル２０との間に実質的に３６０度の相対的回転度を提供する。第１の位置は、第２のパネル２０のディスプレイ側２４に接して位置する第３のパネル３０の第１の側３４に一致する。第２の位置は、第２のパネル２０の背面側２２に接して位置する第３のパネル３０の第２の側３２に一致する。
【００２５】
第１のパネル１０は、第１の側１２及び第２の側１４を含む保護ハウジングを含む。以下でより詳細に説明するように、ハウジング内にはデバイスエレクトロニクスが位置する。第２のパネル２０の背面側２２は保護ハウジングを含む。ディスプレイ側２４はタッチスクリーンディスプレイを含む。いくつかの実施形態では、タッチスクリーンディスプレイがＬＣＤタッチスクリーンディスプレイである。他の実施形態では、その他のいずれかの従来のタッチスクリーンディスプレイ技術を使用することができる。
【００２６】
第３のパネル３０の第１の側３４はタッチスクリーンディスプレイを含む。いくつかの実施形態では、第３のパネル３０が電子ペーパであり、電子ペーパの第１の側３４が、受動的に描写され持続的に表示されるタッチスクリーンディスプレイとして構成される。この構成では、ディスプレイ面を照らすのにバックライトを使用しない。代わりに、反射した周辺光により照明が提供される。また、第１の側３４に表示される画像は受動的に描写され、これは、画像が最初にディスプレイ面に表示されると、新たな画像が表示されることにならない限りこの画像が再描写されないことを意味する。換言すれば、第１の側３４のタッチスクリーンディスプレイのリフレッシュレートはゼロであり、ディスプレイ面に表示された画像は、新たな画像を描写するためのユーザ開始コマンドが受け取られない限り持続する。
【００２７】
第２のパネル２０及び第３のパネル３０の両タッチスクリーンディスプレイは、電子機器８の動作モードに応じて形状及び機能を変化させる適応インターフェイスとして構成される。この動作モードは、第１のパネル１０、第２のパネル２０、及び第３のパネル３０の互いに対する回転位置により決定される。いくつかの実施形態では、電子機器８の４つの異なる構成が可能である。この４つの構成は、閉鎖構成、ワークステーション構成、リーダ構成、及びタブレットラップトップ構成を含む。
【００２８】
図２は、閉鎖構成にある電子機器８を示す図である。図２に示すように、第３のパネル３０は第１のパネル１０と第２のパネル２０との間に位置する。具体的には、第３のパネル３０の第１の側３４が第２のパネル２０のディスプレイ側２４に接して位置し、第３のパネル３０の第２の側３２が第１のパネル１０の第１の側１２に接して位置する。いくつかの実施形態では、ヒンジ機構４０が、第３のパネル３０を閉鎖構成にある第１のパネル１０と第２のパネル２０との間に固定できるのに十分な大きさの直径を有するスピンドルを含む。第１のパネル１０の第２の側１４及び第２のパネルの背面側２２は、「クラムシェル」保護カバーを形成する。閉鎖構成では、電子機器８の電源が落ち又は休止状態に置かれ、この場合第２のパネル２０上のタッチスクリーンディスプレイ及び第３のパネル３０上のタッチスクリーンディスプレイの電源が落ちる。
【００２９】
図３は、ワークステーション構成にある電子機器８を示す図である。ワークステーション構成では、第３のパネル３０の第１の側３４のタッチスクリーンディスプレイ及び第２のパネル２０のディスプレイ側２４のタッチスクリーンディスプレイが両方とも露出され、従って電源オンになり、これらのタッチスクリーンディスプレイが両方とも単一ユーザから見えるように位置する。第３のパネル３０は、第１のパネル１０及び第２のパネル２０の両方に対して「開いた」状態となる。換言すれば、第３のパネル３０は、第１のパネル１０にも又は第２のパネル２０にも接して位置しない。図３に示すように、第１のパネル１０もまた、第２のパネル２０及び第３のパネル３０の両方に対して「開いた」状態となる。この図は例示目的にすぎない。第１のパネル１０の実際の位置は、第２のパネル２０のディスプレイ側２４又は第３のパネル３０のどちらも覆わず、第２のパネル２０のディスプレイ側２４の視野を塞がないいずれかの位置となる。いくつかの実施形態では、第１のパネル１０が、第２のパネル２０のディスプレイ側２４から離れて少なくとも４５度回転する。いくつかの実施形態では、第１のパネル１０が閉鎖構成に対して実質的に３６０度回転することにより、第１のパネル１０の第２の側１４が第２のパネル２０の背面側２２に接して位置するようになる。他の実施形態では、第１のパネル１０が、第３のパネル３０が回転して第２のパネル２０に接し、またこれから離れることが可能になるのに十分な角度回転する。
【００３０】
第３のパネル３０が回転して第２のパネル２０に対して「Ｖ」位置を形成することにより、第３のパネル３０の第１の側３４がユーザインターフェイスとして使用され、第２のパネル２０のディスプレイ側２４がディスプレイとして使用されるようになる。ワークステーション構成にある第２のパネル２０及び第３のパネル３０の相対位置は、従来のラップトップコンピュータの「開いた」状態と同様である。ワークステーション構成では、第３のパネル３０がユーザインターフェイスを提供するように構成される。第３のパネル３０がタッチスクリーンディスプレイであることにより、ユーザインターフェイスの構成が適用可能となる。例えば、いくつかの実施形態では、第３のパネルの第１の側３４に従来のラップトップキーボード及びタッチパッドの構成が表示される。第３のパネルの第１の側３４がタッチセンサ式であるため、「表示」されたキーボード及びタッチパッドは、ユーザにより従来のラップトップコンピュータのキーボードと同様の方法で使用される。ワークステーション構成では、第２のパネル２０のディスプレイ側２４が、あらゆるタッチセンサ機能が無効なディスプレイとして機能するように構成される。或いは、第３のパネル３０上のタッチスクリーンディスプレイを、カスタマイズされたキーボードタイプのユーザインターフェイス、又はユーザがタッチスクリーンディスプレイに触れることにより電子機器８に制御コマンドを入力できるようにするその他のいずれかのカスタマイズされたユーザインターフェイスを「表示」するように構成することができる。
【００３１】
図４Ａは、リーダ構成にある電子機器８を示す図である。図４に示すように、第２のパネル２０は第１のパネル１０及び第３のパネル３０の間に位置する。具体的には、第１のパネル１０の第１の側１２が第２のパネル２０のディスプレイ側２４に接して位置し、第３のパネル３０の第２の側３２が第２のパネル２０の背面２２に接して位置する。第１のパネル１０の第２の側１４は露出される。ディスプレイ側２４は覆われるため電源が落ち、第３のパネルの第１の側３４のタッチスクリーンディスプレイは露出されるため電源オンになる。使用時には、ユーザが、電子機器８を第３のパネル３０の第１の側３４がユーザに向くように上向きに置き、これを図４Ｂに示している。図４Ｂの電子機器８の位置は、図４Ａの電子機器８の位置に対してＸ軸を中心に１８０度回転されている。リーダ構成では、第１の側３４のタッチスクリーンディスプレイが、文書の１又はそれ以上のページを表示画像として表示するリーダとして構成される。いくつかの実施形態では、リフレッシュレートをゼロに設定することにより、表示画像が１回のみ描写され、新たな画像を描写するための制御コマンドが受信されるまで持続するようになる。他の実施形態では、リフレッシュレートがゼロよりも上のレベルに設定される。いくつかの実施形態では、表示画像が、タッチスクリーンディスプレイのタッチセンシティブな性質に起因して、ユーザが例えばページアップ、ページダウンを行い、又はメニュー選択肢にアクセスし及びこれを選択できるようにするユーザインターフェイスボタンも含む。
【００３２】
図５は、タブレットラップトップ構成にある電子機器８を示す図である。図５に示すように、第３のパネル３０は第１のパネル１０及び第２のパネル２０の間に位置する。タブレットラップトップ構成と閉鎖構成との相違点は、タブレットラップトップ構成では、第３のパネル３０が第２のパネル２０の背面側２２に接して位置し、第１のパネル１０の第２の側１４が第３のパネルに接して位置するのに対し、閉鎖構成では、第３のパネル３０が第２のパネル２０のディスプレイ側２４に接して位置し、第１のパネル１０の第１の側１２が第３のパネル３０に接して位置する点である。具体的には、タブレットラップトップ構成では、第１のパネル１０の第２の側１４が第３のパネル３０の第１の側３４に接して位置し、第３のパネル３０の第２の側３２が第２のパネル２０の背面側２２に接して位置する。第１のパネル１０の第１の側１２は露出される。第３のパネル３０の第１の側３４のタッチスクリーンディスプレイは覆われるため電源が落ち、ディスプレイ側２４は露出されるため電源オンになる。タブレットラップトップ構成では、第２のパネル２０のディスプレイ側２４のタッチスクリーンディスプレイが、ディスプレイ及びタッチセンサ機能が有効なタブレットラップトップとして構成される。電子機器８は、タブレットラップトップとして、従来のラップトップコンピュータと同様の機能を提供するように構成される。
【００３３】
第１のパネル１０の内部構成要素の例示的なブロック図を図６に示す。第１のパネル１０は、プロセッサ１２０と、メインメモリ１３０と、パネル位置入力部１３８と、大容量記憶装置１３２と、モデム１３６と、ネットワークインターフェイス回路１２６と、ディスプレイドライバ回路１２２と、ディスプレイドライバ回路１２４と、ユーザインターフェイス１３４とを含み、これらは全て従来の双方向システムバス１２８により共に結合される。第１のパネル１０はまた、第１のパネル１０、第２のパネル２０、及び第３のパネル３０の各々を含む電子機器８への給電に使用される電源１４０も含む。ネットワークインターフェイス回路１２６は、ネットワーク接続を介して通信を送受信するためのインターフェイスを提供する。いくつかの実施形態では、ネットワークインターフェイス回路１２８が、第１のパネル１０内のネットワークインターフェイスカード上に実装される。しかしながら、当業者には、インターフェイス回路をマザーボード自体の上に構築することを含み、ネットワークインターフェイス回路１２６を他のいずれかの適当な方法で第１のパネル１０内に実装できることが明白であろう。また、当業者には、ネットワークインターフェイス回路１２６により１又はそれ以上のネットワーク接続を提供できることも明白であろう。ネットワークインターフェイス回路１２６は、ネットワークへの好ましい高速接続を提供する。或いは、モデム１３６が、ネットワークにアクセスするために公衆交換電話網（ＰＳＴＮ）を介したダイヤルアップ接続を提供する。大容量記憶装置１３２は、１又はそれ以上の磁気、光学、又は光磁気記憶技術、又はその他のいずれかの利用可能な大容量記憶技術を使用した固定及び取り外し可能の両方の媒体を含む。システムバス１２８は、メモリ１３２及び１３０のいずれかの部分をアドレス指定するためのアドレスバスを含む。システムバス１２８はまた、プロセッサ１２０、メインメモリ１３０、パネル位置入力部１３８、大容量記憶装置１３２、モデム１３６、ネットワークインターフェイス回路１２６、ディスプレイドライバ回路１２２、ディスプレイドライバ回路１２４、及びユーザインターフェイス１３４の間でデータを転送するためのデータバスも含む。
【００３４】
ユーザインターフェイス１３４は、電源オン／オフスイッチを含む。いくつかの実施形態では、ユーザインターフェイスが、リーダ構成にあるときにページアップ、ページダウン、及びメニュー選択肢などのユーザ制御信号を提供するためのユーザインターフェイスボタンも含む。いくつかの実施形態では、ユーザインターフェイスが、カーソル制御装置としての能動的ディスプレイ上におけるグラフィック画像の操作に使用する従来のマウスと接続するためのポートも含む。
【００３５】
いくつかの実施形態では、ネットワークインターフェイス回路１２６が、ユーザが電子機器８を電話として利用できるようにするカード式の携帯及び／又はＷｉ−Ｆｉ電話に対応するためのカードスロットを使用して構成される。このようなカード式電話はまた、ネットワークインターフェイス回路１２６から取り外された際に、限られた機能の電話もユーザに提供する。
【００３６】
いくつかの実施形態では、第１のパネル１０の第２のパネル２０に対する回転位置が、ヒンジ機構４０内に組み込まれた位置スイッチにより決定され、第３のパネル３０の第２のパネル２０に対する回転位置が、ヒンジ機構５０内に組み込まれた位置スイッチにより決定される。これらの位置スイッチは、第１のパネル１０のパネル位置スイッチ入力部１３８に結合されて、第１のパネル１０、第２のパネル２０、及び第３のパネル３０の相対位置データをプロセッサ１２０に提供する。他の実施形態では、３枚のパネル１０、２０及び３０の１又はそれ以上の様々な場所に感圧センサが位置し、これを使用して、個々のパネル１０、２０及び３０の各々の側が露出されているか又は覆われているかを判定する。
【００３７】
相対位置データ又は感圧データを使用して、プロセッサ１２０は、電子機器８が閉鎖構成にあるか、ワークステーション構成にあるか、リーダ構成にあるか、又はタブレットラップトップ構成にあるかを判定する。現在の構成が判定されると、ディスプレイドライバ回路１２２及び１２４へ適当な制御信号が送られ、これらがさらに第２のパネル２０及び第３のパネル３０のタッチスクリーンディスプレイに適当なディスプレイドライバ信号を提供する。例えば、第２のパネル２０のタッチスクリーンに提供されるディスプレイドライバ信号は、電子機器８がタブレットラップトップ構成にあるか又はワークステーション構成にあるかに応じて、タッチセンサ機能をそれぞれ有効又は無効にする。ディスプレイドライバ信号はまた、タッチスクリーンディスプレイ上に表示すべき表示データも提供する。個々のパネルの位置及び対応する電子機器の構成を判定するその他の従来の方法も使用できることを理解されたい。
【００３８】
本発明の構成及び動作の原理を容易に理解できるようにするために、詳細を含む具体的な実施形態の観点から本発明について説明した。このような本明細書における具体的な実施形態及びその詳細への参照は、本明細書に添付する特許請求の範囲を限定することを意図するものではない。当業者には、本発明の思想及び範囲から逸脱することなく、例示目的で選択した実施形態に修正を行えることが明白であろう。
【図１】
2011014149.tif 000003
【図２】
2011014149.tif 000004
【図３】
2011014149.tif 000005
【図４Ａ】
2011014149.tif 000006
【図４Ｂ】
2011014149.tif 000007
【図５】
2011014149.tif 000008
【図６】
2011014149.tif 000009
【外国語明細書】
2011014149.tif 000010
2011014149.tif 000011
2011014149.tif 000012
2011014149.tif 000013
2011014149.tif 000014
2011014149.tif 000015
2011014149.tif 000016
2011014149.tif 000017
2011014149.tif 000018
2011014149.tif 000019
2011014149.tif 000020
2011014149.tif 000021
2011014149.tif 000022
2011014149.tif 000023
2011014149.tif 000024
2011014149.tif 000025
2011014149.tif 000026
2011014149.tif 000027
2011014149.tif 000028
2011014149.tif 000029
2011014149.tif 000030
2011014149.tif 000031
2011014149.tif 000032
2011014149.tif 000033
2011014149.tif 000034
2011014149.tif 000035
2011014149.tif 000036
2011014149.tif 000037
2011014149.tif 000038
2011014149.tif 000039
2011014149.tif 000040
2011014149.tif 000041